(57)【要約】【課題】混色に起因する表示品位の低下を抑えつつ、画素の開口率の向上を図ることができる表示装置を提供する。【解決手段】赤色画素Ｐｒと緑色画素Ｐｇとの間に配置されるブラックマトリクスＢＭｒｇの行方向の幅の中心位置ｒｇ１が、ブラックマトリクスＢＭｒｇに平面視で重なるデータ線ＤＬの行方向の線幅の中心位置ｍ１よりも赤色画素Ｐｒ側にずれており、緑色画素Ｐｇと青色画素Ｐｂとの間に配置されるブラックマトリクスＢＭｇｂの行方向の幅の中心位置ｇｂ１が、ブラックマトリクスＢＭｇｂに平面視で重なるデータ線ＤＬの行方向の線幅の中心位置ｍ１よりも青色画素Ｐｂ側にずれている。【選択図】図３
2015069119.tif 000002
【特許請求の範囲】
【請求項１】
対向配置された、背面側の第１基板と表示面側の第２基板とを備え、
前記第１基板には、複数のデータ線と、複数のゲート線と、該データ線が延在する列方向及び該ゲート線が延在する行方向に形成される複数の画素それぞれに対応して配置された複数の画素電極と、が形成されており、
前記第２基板には、前記複数の画素それぞれに対応して配置された、光を透過する複数の光透過部と、該複数の光透過部それぞれの周囲に形成され、光の透過を遮断する遮光部と、が形成されており、
前記複数の画素は、赤色の光を透過する赤色光透過部に対応する赤色画素と、緑色の光を透過する緑色光透過部に対応する緑色画素と、青色の光を透過する青色光透過部に対応する青色画素と、を含み、
前記赤色画素と前記緑色画素との間に配置される前記遮光部の行方向の幅の中心位置が、該遮光部に平面視で重なる前記データ線の行方向の線幅の中心位置よりも前記赤色画素側にずれており、前記緑色画素と前記青色画素との間に配置される前記遮光部の行方向の幅の中心位置が、該遮光部に平面視で重なる前記データ線の行方向の線幅の中心位置よりも前記青色画素側にずれている、
ことを特徴とする表示装置。
【請求項２】
前記赤色画素、前記緑色画素、及び前記青色画素が行方向にこの順に繰り返し配列されており、
前記赤色画素と前記緑色画素との間に配置される前記遮光部の行方向の幅、及び、前記緑色画素と前記青色画素との間に配置される前記遮光部の行方向の幅は、前記赤色画素と前記青色画素との間に配置される前記遮光部の行方向の幅よりも小さい、
ことを特徴とする請求項１に記載の表示装置。
【請求項３】
前記緑色光透過部における行方向の幅は、前記赤色光透過部における行方向の幅よりも大きく、かつ、前記青色光透過部における行方向の幅よりも大きい、
ことを特徴とする請求項２に記載の表示装置。
【請求項４】
平面視で、前記赤色画素と前記緑色画素との間に配置される前記遮光部に重なる前記データ線の行方向の線幅の中心位置から、該遮光部における前記赤色画素側の端部までの距離は、該赤色画素と前記青色画素との間に配置される前記遮光部に重なる前記データ線の行方向の線幅の中心位置から、該遮光部における前記赤色画素側の端部までの距離と等しく、かつ、
平面視で、前記緑色画素と前記青色画素との間に配置される前記遮光部に重なる前記データ線の行方向の線幅の中心位置から、該遮光部における前記青色画素側の端部までの距離は、該青色画素と前記赤色画素との間に配置される前記遮光部に重なる前記データ線の行方向の線幅の中心位置から、該遮光部における前記青色画素側の端部までの距離と等しい、
ことを特徴とする請求項２又は３に記載の表示装置。
【請求項５】
前記赤色画素、前記緑色画素、前記青色画素、前記青色画素、前記緑色画素、及び前記赤色画素がこの順に行方向に配列された画素グループが、行方向及び列方向に複数配列されている、
ことを特徴とする請求項１に記載の表示装置。
【請求項６】
隣り合う前記青色画素の間に配置される前記遮光部における行方向の幅、及び、隣り合う前記赤色画素の間に配置される前記遮光部における行方向の幅は、前記赤色画素と前記緑色画素との間に配置される前記遮光部における行方向の幅、及び、前記緑色画素と前記青色画素との間に配置される前記遮光部における行方向の幅、よりも小さい、
ことを特徴とする請求項５に記載の表示装置。
【請求項７】
平面視で、隣り合う前記赤色画素の間に配置される前記遮光部に重なる前記データ線の行方向の線幅の中心位置から、該遮光部における行方向の端部までの距離は、該赤色画素と前記緑色画素との間に配置される前記遮光部に重なる前記データ線の行方向の線幅の中心位置から、該遮光部における前記赤色画素側の端部までの距離よりも短く、かつ、
平面視で、隣り合う前記青色画素の間に配置される前記遮光部に重なる前記データ線の行方向の線幅の中心位置から、該遮光部における行方向の端部までの距離は、該青色画素と前記緑色画素との間に配置される前記遮光部に重なる前記データ線の行方向の線幅の中心位置から、該遮光部における前記青色画素側の端部までの距離よりも短い、
ことを特徴とする請求項５又は６に記載の表示装置。
【発明の詳細な説明】
【技術分野】
【０００１】
本発明は、表示装置に関する。
【背景技術】
【０００２】
液晶表示装置は、背面側に配置される薄膜トランジスタ基板（以下、ＴＦＴ基板という。）と、前面側（表示面側）に配置され、ＴＦＴ基板に対向するカラーフィルタ基板（以下、ＣＦ基板という。）と、ＴＦＴ基板及びＣＦ基板の間に挟持される液晶層と、を含んでいる。ＣＦ基板には、異なる色（例えば赤色、緑色、青色）の着色部と、各着色部の境界に配置される遮光部（以下、ブラックマトリクスという。）とが形成されている。従来、液晶表示装置において、ＴＦＴ基板とＣＦ基板とを貼り合わせる際の位置ずれ等により、隣り合う画素領域からの光漏れに起因した混色が発生する問題が知られている。混色は、特に視野方向が斜め方向となる場合に顕著に表れ、表示品位の低下を招く。例えば、赤色画素を斜め方向から見ると青色が混ざった色味になり、所望の表示品位を得られない。
【０００３】
この混色の発生を低減する技術が、例えば特許文献１に開示されている。特許文献１の液晶表示装置では、ブラックマトリクスの形成領域に、ＴＦＴ基板とＣＦ基板とを貼り合わせる際の位置ずれ量を考慮した領域と、液晶パネルを斜め方向から見た場合の遮光を考慮した領域とを加えている。
【先行技術文献】
【特許文献】
【０００４】
【特許文献１】特開平１１−７２８０１号公報
【発明の概要】
【発明が解決しようとする課題】
【０００５】
しかしながら、特許文献１の技術では、ブラックマトリクスの幅が大きくなるため、画素の開口率が低下するという問題が生じる。
【０００６】
本発明は、上記問題点に鑑みてなされたものであり、その目的は、混色に起因する表示品位の低下を抑えつつ、画素の開口率の向上を図ることができる表示装置を提供することにある。
【課題を解決するための手段】
【０００７】
本発明に係る表示装置は、上記課題を解決するために、対向配置された、背面側の第１基板と表示面側の第２基板とを備え、前記第１基板には、複数のデータ線と、複数のゲート線と、該データ線が延在する列方向及び該ゲート線が延在する行方向に形成される複数の画素それぞれに対応して配置された複数の画素電極と、が形成されており、前記第２基板には、前記複数の画素それぞれに対応して配置された、光を透過する複数の光透過部と、該複数の光透過部それぞれの周囲に形成され、光の透過を遮断する遮光部と、が形成されており、前記複数の画素は、赤色の光を透過する赤色光透過部に対応する赤色画素と、緑色の光を透過する緑色光透過部に対応する緑色画素と、青色の光を透過する青色光透過部に対応する青色画素と、を含み、前記赤色画素と前記緑色画素との間に配置される前記遮光部の行方向の幅の中心位置が、該遮光部に平面視で重なる前記データ線の行方向の線幅の中心位置よりも前記赤色画素側にずれており、前記緑色画素と前記青色画素との間に配置される前記遮光部の行方向の幅の中心位置が、該遮光部に平面視で重なる前記データ線の行方向の線幅の中心位置よりも前記青色画素側にずれている、ことを特徴とする。
【０００８】
本発明に係る表示装置では、前記赤色画素、前記緑色画素、及び前記青色画素が行方向にこの順に繰り返し配列されており、前記赤色画素と前記緑色画素との間に配置される前記遮光部の行方向の幅、及び、前記緑色画素と前記青色画素との間に配置される前記遮光部の行方向の幅は、前記赤色画素と前記青色画素との間に配置される前記遮光部の行方向の幅よりも小さいことが好ましい。
【０００９】
本発明に係る表示装置では、前記緑色光透過部における行方向の幅は、前記赤色光透過部における行方向の幅よりも大きく、かつ、前記青色光透過部における行方向の幅よりも大きいことが好ましい。
【００１０】
本発明に係る表示装置では、平面視で、前記赤色画素と前記緑色画素との間に配置される前記遮光部に重なる前記データ線の行方向の線幅の中心位置から、該遮光部における前記赤色画素側の端部までの距離は、該赤色画素と前記青色画素との間に配置される前記遮光部に重なる前記データ線の行方向の線幅の中心位置から、該遮光部における前記赤色画素側の端部までの距離と等しく、かつ、平面視で、前記緑色画素と前記青色画素との間に配置される前記遮光部に重なる前記データ線の行方向の線幅の中心位置から、該遮光部における前記青色画素側の端部までの距離は、該青色画素と前記赤色画素との間に配置される前記遮光部に重なる前記データ線の行方向の線幅の中心位置から、該遮光部における前記青色画素側の端部までの距離と等しいことが好ましい。
【００１１】
本発明に係る表示装置では、前記赤色画素、前記緑色画素、前記青色画素、前記青色画素、前記緑色画素、及び前記赤色画素がこの順に行方向に配列された画素グループが、行方向及び列方向に複数配列されていてもよい。
【００１２】
本発明に係る表示装置では、隣り合う前記青色画素の間に配置される前記遮光部における行方向の幅、及び、隣り合う前記赤色画素の間に配置される前記遮光部における行方向の幅は、前記赤色画素と前記緑色画素との間に配置される前記遮光部における行方向の幅、及び、前記緑色画素と前記青色画素との間に配置される前記遮光部における行方向の幅、よりも小さいことが好ましい。
【００１３】
本発明に係る表示装置では、平面視で、隣り合う前記赤色画素の間に配置される前記遮光部に重なる前記データ線の行方向の線幅の中心位置から、該遮光部における行方向の端部までの距離は、該赤色画素と前記緑色画素との間に配置される前記遮光部に重なる前記データ線の行方向の線幅の中心位置から、該遮光部における前記赤色画素側の端部までの距離よりも短く、かつ、平面視で、隣り合う前記青色画素の間に配置される前記遮光部に重なる前記データ線の行方向の線幅の中心位置から、該遮光部における行方向の端部までの距離は、該青色画素と前記緑色画素との間に配置される前記遮光部に重なる前記データ線の行方向の線幅の中心位置から、該遮光部における前記青色画素側の端部までの距離よりも短いことが好ましい。
【発明の効果】
【００１４】
本発明に係る表示装置の構成によれば、混色に起因する表示品位の低下の影響を受け難い緑色画素の開口幅を大きくすることができる。よって、両基板同士を貼り合わせたときの位置ずれが生じたとしても、混色に起因する表示品位の低下を抑えつつ、画素の開口率の向上を図ることができる。
【図面の簡単な説明】
【００１５】
【図１】実施形態１に係る液晶表示装置の構成を示す平面図である。
【図２】表示パネルの一部の構成を示す平面図である。
【図３】図２のＡ−Ａ´断面図である。
【図４】ブラックマトリクスの一部の構成を示す平面図である。
【図５】色度差の測定結果の一例を示すグラフである。
【図６】ブラックマトリクスの一部の構成を示す平面図である。
【図７】比較形態における色度差の測定結果を示すグラフである。
【図８】実施形態１における色度差の測定結果を示すグラフである。
【図９】実施形態２の実施例１に係る液晶表示装置の構成を示す平面図である。
【図１０】実施例１に係る液晶表示装置における、図２のＡ−Ａ´断面図である。
【図１１】ブラックマトリクスの一部の構成を示す平面図である。
【図１２】実施例１における色度差の測定結果の一例を示すグラフである。
【図１３】実施例１に係る他の液晶表示装置の構成を示す平面図である。
【図１４】実施例１に係る他の液晶表示装置の構成を示す平面図である。
【図１５】実施例２に係る液晶表示装置における、図２のＡ−Ａ´断面図である。
【図１６】ブラックマトリクスの一部の構成を示す平面図である。
【図１７】ブラックマトリクスの一部の構成を示す平面図である。
【図１８】実施例２における色度差の測定結果の一例を示すグラフである。
【図１９】ブラックマトリクスの一部の構成を示す平面図である。
【図２０】ブラックマトリクスの一部の構成を示す平面図である。
【発明を実施するための形態】
【００１６】
［実施形態１］
本発明の実施形態について、図面を用いて以下に説明する。本発明の実施形態では、液晶表示装置を例に挙げるが、本発明に係る表示装置は液晶表示装置に限定されるものではなく、例えば有機ＥＬ表示装置等であってもよい。
【００１７】
図１は、実施形態１に係る液晶表示装置の全体構成を示す平面図である。液晶表示装置ＬＣＤ１は、画像を表示する表示パネルＰＡと、表示パネルＰＡを駆動する駆動回路（データ線駆動回路、ゲート線駆動回路）と、駆動回路を制御する制御回路（図示せず）と、表示パネルＰＡに背面側から光を照射するバックライト（図示せず）と、を含んで構成されている。なお、駆動回路は、表示パネルＰＡに搭載されていてもよい。
【００１８】
図２は表示パネルＰＡの一部の構成を示す平面図であり、図３は図２のＡ−Ａ´断面図である。図３に示すように、表示パネルＰＡは、背面側に配置される薄膜トランジスタ基板ＳＵＢ１（以下、ＴＦＴ基板という。）（第１基板）と、前面側（表示面側）に配置され、ＴＦＴ基板ＳＵＢ１に対向するカラーフィルタ基板ＳＵＢ２（以下、ＣＦ基板という。）（第２基板）と、ＴＦＴ基板ＳＵＢ１及びＣＦ基板ＳＵＢ２の間に挟持される液晶層ＬＣと、を含んでいる。なお、図２は便宜上、前面側から、ＣＦ基板ＳＵＢ２を透視し、ＴＦＴ基板ＳＵＢ１を見た状態を示している。図４は、ＣＦ基板ＳＵＢ２に設けられる遮光部（以下、ブラックマトリクスＢＭという。）の一部の構成を示す平面図である。図４は、前面側から見た状態を示している。
【００１９】
図１及び図２に示すように、ＴＦＴ基板ＳＵＢ１には、列方向に延在する複数のデータ線ＤＬと、行方向に延在する複数のゲート線ＧＬとが形成され、複数のデータ線ＤＬと複数のゲート線ＧＬとのそれぞれの交差部近傍に薄膜トランジスタ（以下、ＴＦＴという。）が形成され、隣り合う２本のデータ線ＤＬと隣り合う２本のゲート線ＧＬとにより囲まれる矩形領域が１つの画素Ｐとして規定され、該画素Ｐがマトリクス状（行方向及び列方向）に複数配置されている。各画素Ｐには、スズ添加酸化インジウム（ＩＴＯ）等の透明導電膜からなる画素電極ＰＩＴが設けられている。図２に示すように、各画素電極ＰＩＴは、開口部（例えばスリット）を有し、ストライプ状に形成されている。ＴＦＴは、ゲート絶縁膜（図示せず）上に、非晶質シリコン（ａＳｉ）からなる半導体層ＳＥＭが形成され、半導体層ＳＥＭ上にドレイン電極ＳＭ及びソース電極（図示せず）が形成されている。ドレイン電極ＳＭはデータ線ＤＬに電気的に接続され、ソース電極と画素電極ＰＩＴとはコンタクトホールＣＯＮＴを介して電気的に接続されている。なお、データ線ＤＬは、行方向に等間隔Ｐ１で配列されている。
【００２０】
図３及び図４に示すように、ＣＦ基板ＳＵＢ２には、各画素Ｐに対応して光透過部Ｃが形成されている。光透過部Ｃは、光の透過を遮断するブラックマトリクスＢＭで囲まれており、矩形状に形成されている。また、複数の光透過部Ｃは、赤色の着色部（赤色部ＣＦｒ）が形成され、赤色（Ｒ色）の光を透過する赤色光透過部Ｃｒと、緑色の着色部（緑色部ＣＦｇ）が形成され、緑色（Ｇ色）の光を透過する緑色光透過部Ｃｇと、青色の着色部（青色部ＣＦｂ）が形成され、青色（Ｂ色）の光を透過する青色光透過部Ｃｂと、を含んでいる。赤色光透過部Ｃｒ、緑色光透過部Ｃｇ、及び青色光透過部Ｃｂが行方向にこの順に繰り返し配列され、同一色の光透過部Ｃが列方向に配列され、行方向及び列方向に隣り合う光透過部Ｃの間の領域にブラックマトリクスＢＭが形成されている。
【００２１】
図２及び図３に示すように、複数の画素Ｐは、赤色光透過部Ｃｒに対応する赤色画素Ｐｒと、緑色光透過部Ｃｇに対応する緑色画素Ｐｇと、青色光透過部Ｃｂに対応する青色画素Ｐｂと、を含んでいる。また、これらの画素Ｐは光透過部Ｃの配置に対応して配列されており、赤色画素Ｐｒ、緑色画素Ｐｇ、及び青色画素Ｐｂが行方向にこの順に繰り返し配列され、同一色の画素Ｐが列方向に配列されている。ｍ１は、データ線ＤＬの中心線を表している。
【００２２】
画素Ｐを構成する各部の積層構造は、図３の構成に限定されるものではなく、周知の構成を適用することができる。図３に示す構成では、ＴＦＴ基板ＳＵＢ１において、ガラス基板ＧＢ上にゲート線ＧＬ（図示せず）が形成され、ゲート線ＧＬを覆うように絶縁膜ＧＳＮが形成され、絶縁膜ＧＳＮ上にデータ線ＤＬが形成され、データ線ＤＬを覆うように絶縁膜ＰＡＳが形成され、絶縁膜ＰＡＳ上に共通電極ＣＩＴが形成され、共通電極ＣＩＴを覆うように絶縁膜ＳｉＮが形成され、絶縁膜ＳｉＮ上に画素電極ＰＩＴが形成されている。また、ＣＦ基板ＳＵＢ２において、ガラス基板ＧＢ上にブラックマトリクスＢＭ及び着色部ＣＦが形成され、これらを覆うようにオーバーコート層ＯＣが形成されている。その他、図示はしていないが、配向膜、偏光板等が形成されている。図３の構成によれば、本液晶表示装置ＬＣＤ１は、いわゆるＩＰＳ（In Plane Switching）方式の構成を有しているが、本発明に係る表示装置は、これに限定されない。
【００２３】
ここで、隣り合う画素領域から生じる光漏れに起因した混色について考察する。混色は、いわゆる色度差Δ（デルタ）ｕ´ｖ´を用いて表すことができる。色度差Δｕ´ｖ´とは、ｘｙ色度座標を変換することによって作られた、知覚される色差に略比例するｕ´ｖ´色度図（ＣＩＥ  １９７６  ＵＣＳ色度図）における２点間距離をいう。図５は、色度差Δｕ´ｖ´の測定結果の一例を示すグラフである。ここでは一例として、ＴＦＴ基板ＳＵＢ１及びＣＦ基板ＳＵＢ２の位置ずれ量が０μｍの場合の正面方向（極角０度）に対するｕ´ｖ´色度座標と、位置ずれ量が２０μｍの場合の極角０度〜８５度に対するｕ´ｖ´色度座標との距離を測定した結果を示している。なお、極角は、表示パネルＰＡの平面（表示面）における法線方向に対する角度をいう。すなわち、極角０度は表示パネルＰＡを正面方向から見た場合を意味し、極角９０度は表示パネルＰＡを真横方向から見た場合を意味する。なお、測定結果では、赤色画素Ｐｒの色度差Δｕ´ｖ´と、青色画素Ｐｂの色度差Δｕ´ｖ´とが略同じ値であったため、図５のグラフでは、代表して、赤色画素Ｐｒの色度差Δｕ´ｖ´を表している。
【００２４】
図５のグラフによれば、極角０度のときの赤色画素Ｐｒ（及び青色画素Ｐｂ）の色度差Δｕ´ｖ´が約０．１３であり、正面方向から見た場合でも混色が生じていることが分かる。これは、ＴＦＴ基板ＳＵＢ１及びＣＦ基板ＳＵＢ２の位置ずれ量が大きく、例えばＣＦ基板ＳＵＢ２の赤色光透過部Ｃｒの一部が、ＴＦＴ基板ＳＵＢ１の青色画素Ｐｂの領域に重なっているためである。また、赤色画素Ｐｒ及び青色画素Ｐｂの色度差Δｕ´ｖ´に対して、緑色画素Ｐｇの色度差Δｕ´ｖ´が低いことが分かる。具体的には、緑色画素Ｐｇは、色度差Δｕ´ｖ´が０．０２以下である。これは、人間の目で混色を認識し難いレベルであり、人間の目にとって、緑色における混色に対する耐性が高いことが分かる。
【００２５】
このような特性を有する混色は、画素の開口率（開口幅）と相関関係があり、開口率が高くなる程、混色が生じ易くなる（色度差Δｕ´ｖ´が大きくなる）ことが一般的である。しかし、上記の測定結果（図５参照）によれば、緑色画素Ｐｇについては、人間の目で混色を認識し難い範囲内であれば、さらに開口率を高めることが可能であると考えられる。なお、緑色画素Ｐｇの開口率（開口幅）の向上に伴い、赤色画素Ｐｒ及び青色画素Ｐｂの開口率（開口幅）が低下すると、液晶表示装置全体の画素の開口率が低下してしまうため、赤色画素Ｐｒ及び青色画素Ｐｂの開口率（開口幅）を維持しつつ、緑色画素Ｐｇのみの開口率（開口幅）の向上を図ることが好ましい。これにより、混色に起因する表示品位の低下を抑えつつ、液晶表示装置ＬＣＤ１の画素の開口率を向上させることができる。以下では、上記効果を得るための具体的な構成について説明する。
【００２６】
図３及び図４に示すように、青色画素Ｐｂ（青色光透過部Ｃｂ）と赤色画素Ｐｒ（赤色光透過部Ｃｒ）との境界に配置されるブラックマトリクスＢＭｂｒの中心線は、ブラックマトリクスＢＭｂｒに平面視で重なるデータ線ＤＬの中心線ｍ１と一致している。赤色画素Ｐｒと緑色画素Ｐｇ（緑色光透過部Ｃｇ）との境界に配置されるブラックマトリクスＢＭｒｇの中心線ｒｇ１は、ブラックマトリクスＢＭｒｇに平面視で重なるデータ線ＤＬの中心線ｍ１よりも赤色画素Ｐｒ側にずれている。緑色画素Ｐｇと青色画素Ｐｂとの境界に配置されるブラックマトリクスＢＭｇｂの中心線ｇｂ１は、ブラックマトリクスＢＭｇｂに平面視で重なるデータ線ＤＬの中心線ｍ１よりも青色画素Ｐｂ側にずれている。また、ブラックマトリクスＢＭｒｇの行方向の幅Ｔｒｇと、ブラックマトリクスＢＭｇｂの行方向の幅Ｔｇｂとは、互いに等しく、かつ、ブラックマトリクスＢＭｂｒの行方向の幅Ｔｂｒよりも小さい（Ｔｒｇ＝Ｔｇｂ＜Ｔｂｒ）。さらに、ブラックマトリクスＢＭｂｒの幅Ｔｂｒにおいて、データ線ＤＬの中心線ｍ１から青色画素Ｐｂ側の端部までの距離Ｔｂ１と、中心線ｍ１から赤色画素Ｐｒ側の端部までの距離Ｔｒ１とは等しい（Ｔｂ１＝Ｔｒ１）。ブラックマトリクスＢＭｒｇの幅Ｔｒｇにおいて、データ線ＤＬの中心線ｍ１から緑色画素Ｐｇ側の端部までの距離Ｔｇ１は、中心線ｍ１から赤色画素Ｐｒ側の端部までの距離Ｔｒ１よりも小さい（Ｔｇ１＜Ｔｒ１）。ブラックマトリクスＢＭｇｂの幅Ｔｇｂにおいて、データ線ＤＬの中心線ｍ１から緑色画素Ｐｇ側の端部までの距離Ｔｇ１は、中心線ｍ１から青色画素Ｐｂ側の端部までの距離Ｔｂ１よりも小さい（Ｔｇ１＜Ｔｂ１）。
【００２７】
上記の構成により、緑色画素Ｐｇ（緑色光透過部Ｃｇ）の開口幅Ｗｇ１は、赤色画素Ｐｒ（赤色光透過部Ｃｒ）の開口幅Ｗｒ１及び青色画素Ｐｂ（青色光透過部Ｃｂ）の開口幅Ｗｂ１よりも、Δαだけ大きくなっている。Δαは、以下の式で表される。
Δα＝（Ｔｒ１−Ｔｇ１）＋（Ｔｂ１−Ｔｇ１）
＝（Ｔｒ１−Ｔｇ１）×２
＝（Ｔｂ１−Ｔｇ１）×２
【００２８】
図６（ａ）は、比較形態に係るブラックマトリクスＢＭの一部の構成を示す平面図であり、図６（ｂ）は、実施形態１に係るブラックマトリクスＢＭの一部の構成を示す平面図である。比較形態に係るブラックマトリクスＢＭでは、全てのブラックマトリクスＢＭの幅Ｔ０が等しく、かつ、幅Ｔ０の中心線がデータ線ＤＬの中心線ｍ１と一致している。よって、赤色画素Ｐｒの開口幅Ｗｒ０、緑色画素Ｐｇの開口幅Ｗｇ０、及び青色画素Ｐｂの開口幅Ｗｂ０は、相互に等しくなっている。これに対して、実施形態１では、上記のように、赤色画素Ｐｒの開口幅Ｗｒ１及び青色画素Ｐｂの開口幅Ｗｂ１を維持しつつ、緑色画素Ｐｇの開口幅Ｗｇ１を、比較形態における画素の開口幅よりも大きくすることができる。すなわち、実施形態１に係るブラックマトリクスＢＭは、以下の関係式を満たす構成を有している。
Ｗｒ１＝Ｗｂ１＝Ｗｒ０＝Ｗｇ０＝Ｗｂ０＜Ｗｇ１
【００２９】
図７は、図６（ａ）に示す比較形態における色度差Δｕ´ｖ´の測定結果を示すグラフである。ここでは、全てのブラックマトリクスＢＭの幅Ｔ０を１０μｍとし、ＴＦＴ基板ＳＵＢ１及びＣＦ基板ＳＵＢ２の位置ずれ量を３μｍに設定した。なお、測定結果では、赤色画素Ｐｒの色度差Δｕ´ｖ´と、青色画素Ｐｂの色度差Δｕ´ｖ´とは略同じ値であったため、図７のグラフでは、代表して、赤色画素Ｐｒの色度差Δｕ´ｖ´を表している。
【００３０】
図８は、図６（ｂ）に示す実施形態１における色度差Δｕ´ｖ´の測定結果を示すグラフである。ここでは、ブラックマトリクスＢＭの幅を以下のように設定した。また、ＴＦＴ基板ＳＵＢ１及びＣＦ基板ＳＵＢ２の位置ずれ量を３μｍに設定した。ここでも、赤色画素Ｐｒの色度差Δｕ´ｖ´と、青色画素Ｐｂの色度差Δｕ´ｖ´とは略同じ値であったため、代表して、赤色画素Ｐｒの色度差Δｕ´ｖ´を表している。
・Ｔｂｒ＝１０μｍ
・Ｔｂ１＝Ｔｒ１＝５μｍ
・Ｔｒｇ＝Ｔｇｂ＝６．５μｍ
・Ｔｇ１＝１．５μｍ
【００３１】
図７及び図８のグラフを比較すると、赤色画素Ｐｒ及び青色画素Ｐｂの色度差Δｕ´ｖ´は、比較形態と実施形態１とで変わらないのに対して、緑色画素Ｐｇの色度差Δｕ´ｖ´は、実施形態１の方が比較形態よりも高くなっている。しかし、実施形態１における緑色画素Ｐｇの色度差Δｕ´ｖ´は、依然として０．０２以下であり、人間の目で混色を認識し難いレベルである。よって、表示画像を視認するレベルにおいては、実施形態１は、比較形態と同等であると言える。
【００３２】
また、実施形態１におけるブラックマトリクスＢＭｒｇ，ＢＭｇｂの幅Ｔｒｇ，Ｔｇｂ（＝６．５μｍ）は、比較形態におけるブラックマトリクスＢＭの幅Ｔ０（＝１０μｍ）よりも小さく、かつ、実施形態１におけるブラックマトリクスＢＭｂｒの幅Ｔｂｒ（＝１０μｍ）は、比較形態におけるブラックマトリクスＢＭの幅Ｔ０（＝１０μｍ）と等しい。すなわち、実施形態１における緑色画素Ｐｇの開口幅Ｗｇ１は、比較形態における緑色画素Ｐｇの開口幅Ｗｇ０よりも大きく（Ｗｇ１＞Ｗｇ０）、実施形態１における赤色画素Ｐｒの開口幅Ｗｒ１及び青色画素Ｐｂの開口幅Ｗｂ１は、比較形態における赤色画素Ｐｒの開口幅Ｗｒ０及び青色画素Ｐｂの開口幅Ｗｂ０と等しい（Ｗｒ１＝Ｗｂ１＝Ｗｒ０＝Ｗｂ０）。よって、実施形態１は、比較形態と比較して、画素の開口率を向上させることができる。
【００３３】
以上より、実施形態１に係る液晶表示装置ＬＣＤ１によれば、混色に起因する表示品位の低下を抑えつつ、画素の開口率を向上させることができる。
【００３４】
［実施形態２］
本発明の実施形態２について、図面を用いて以下に説明する。なお、説明の便宜上、実施形態１において示した部材と同一の機能を有する部材には同一の符号を付し、その説明を省略する。また、実施形態１において定義した用語については、特に断らない限り、実施形態２においてもその定義に則って用いるものとする。
【００３５】
［実施例１］
図９は、実施形態２の実施例１に係る液晶表示装置の全体構成を示す平面図である。液晶表示装置ＬＣＤ２では、赤色画素Ｐｒ、緑色画素Ｐｇ、青色画素Ｐｂ、青色画素Ｐｂ、緑色画素Ｐｇ、及び赤色画素Ｐｒが行方向にこの順に繰り返し配列され、同一色の画素Ｐが列方向に配列されている。すなわち、赤色画素Ｐｒ、緑色画素Ｐｇ、青色画素Ｐｂ、青色画素Ｐｂ、緑色画素Ｐｇ、及び赤色画素Ｐｒが１つの画素グループを構成し、この画素グループが、行方向及び列方向に複数配列されている。この配列により、行方向において、赤色画素Ｐｒ同士が隣接し、青色画素Ｐｂ同士が隣接し、赤色画素Ｐｒ及び青色画素Ｐｂの間に緑色画素Ｐｇが配置される。
【００３６】
液晶表示装置ＬＣＤ２のＴＦＴ基板ＳＵＢ１における赤色画素Ｐｒ、緑色画素Ｐｇ、及び青色画素Ｐｂの構成は、図２に示した構成と同一である。
【００３７】
図１０は、実施例１に係る液晶表示装置ＬＣＤ２の表示パネルＰＡにおける、図２のＡ−Ａ´断面図である。図１１は、実施例１に係る液晶表示装置ＬＣＤ２のＣＦ基板ＳＵＢ２に設けられるブラックマトリクスＢＭの一部の構成を示す平面図である。図１１では、１画素グループに対応するブラックマトリクスＢＭを前面側から見た状態を示している。
【００３８】
図１０及び図１１に示すように、赤色光透過部Ｃｒ、緑色光透過部Ｃｇ、青色光透過部Ｃｂ、青色光透過部Ｃｂ、緑色光透過部Ｃｇ、及び赤色光透過部Ｃｒが行方向にこの順に繰り返し配列され、同一色の光透過部Ｃが列方向に配列され、行方向及び列方向に隣り合う光透過部Ｃの間の領域にブラックマトリクスＢＭが形成されている。光透過部Ｃに対応して、赤色画素Ｐｒ、緑色画素Ｐｇ、青色画素Ｐｂ、青色画素Ｐｂ、緑色画素Ｐｇ、及び赤色画素Ｐｒが行方向にこの順に繰り返し配列され、同一色の画素Ｐが列方向に配列されている。
【００３９】
上記の構成によれば、隣り合う赤色画素Ｐｒ同士の境界では混色は生じず、隣り合う青色画素Ｐｂ同士の境界では混色は生じない。よって、実施形態１に係る液晶表示装置ＬＣＤ１と比較して、より混色の発生を抑えることができる。
【００４０】
図１２は、実施例１における色度差Δｕ´ｖ´の測定結果を示すグラフである。ブラックマトリクスＢＭの幅は、実施形態１と同様、以下のように設定した。また、ＴＦＴ基板ＳＵＢ１及びＣＦ基板ＳＵＢ２の位置ずれ量を３μｍに設定した。なお、赤色画素Ｐｒの色度差Δｕ´ｖ´と、青色画素Ｐｂの色度差Δｕ´ｖ´とは略同じ値であったため、代表して赤色画素Ｐｒの色度差Δｕ´ｖ´を表している。
・Ｔｒｒ＝Ｔｂｂ＝１０μｍ
・Ｔｂ１＝Ｔｒ１＝５μｍ
・Ｔｒｇ＝Ｔｇｂ＝６．５μｍ
・Ｔｇ１＝１．５μｍ
【００４１】
実施形態１の測定結果を示す図８のグラフと、図１２のグラフを比較すると、緑色画素Ｐｇの色度差Δｕ´ｖ´は、実施例１と実施形態１とで変わらないのに対して、赤色画素Ｐｒ及び青色画素Ｐｂの色度差Δｕ´ｖ´は、実施例１の方が実施形態１よりも低くなっている。すなわち、実施例１に係る液晶表示装置ＬＣＤ２は、実施形態１に係る液晶表示装置ＬＣＤ１と比較して、より混色の発生を抑えることができる。
【００４２】
同一色の画素が隣り合う画素配列は、図９に示す構成に限定されない。具体的には、図１３に示すように、赤色画素Ｐｒ、青色画素Ｐｂ、緑色画素Ｐｇ、緑色画素Ｐｇ、青色画素Ｐｂ、及び赤色画素Ｐｒが行方向にこの順に繰り返し配列されていてもよい。また、図１４に示すように、緑色画素Ｐｇ、赤色画素Ｐｒ、青色画素Ｐｂ、青色画素Ｐｂ、赤色画素Ｐｒ、及び緑色画素Ｐｇが行方向にこの順に繰り返し配列されていてもよい。これらの構成によれば、同一色が隣接する画素間で混色が生じないため、図９の画素配列と同様、実施形態１に係る液晶表示装置ＬＣＤ１と比較して、より混色の発生を抑えることができる。
【００４３】
［実施例２］
実施例１に示したように同一色の画素が隣り合って配列される場合、隣り合う画素間では混色が生じないため、このような画素においては、同一色の画素間に配置されるブラックマトリクスＢＭの幅を小さくすることにより、開口幅を大きくすることができる。具体的には、赤色画素Ｐｒ同士の間に配置されるブラックマトリクスＢＭｒｒの幅Ｔｒｒを、実施例１に係るブラックマトリクスＢＭｒｒの幅Ｔｒｒ（図１１参照）よりも小さくすることができる。同様に、青色画素Ｐｂ同士の間に配置されるブラックマトリクスＢＭｂｂの幅Ｔｂｂを、実施例１に係るブラックマトリクスＢＭｂｂの幅Ｔｂｂ（図１１参照）よりも小さくすることができる。これにより、赤色画素Ｐｒ及び青色画素Ｐｂの開口幅Ｗｒ２，Ｗｂ２を、実施例１に係る赤色画素Ｐｒ及び青色画素Ｐｂの開口幅Ｗｒ１，Ｗｂ１（図１１参照）よりも大きくすることができる。そのため、実施例１と同様に混色の発生を抑えつつ、画素の開口率をさらに向上させることができる。以下では、開口率をさらに向上させるための、実施例２に係る液晶表示装置ＬＣＤ２の具体的な構成について説明する。
【００４４】
図１５は、実施形態２に係る実施例２の液晶表示装置ＬＣＤ２の表示パネルＰＡにおける、図２のＡ−Ａ´断面図である。図１６は、実施例２に係る液晶表示装置ＬＣＤ２のＣＦ基板ＳＵＢ２に設けられるブラックマトリクスＢＭの一部の構成を示す平面図である。図１６では、１画素グループに対応するブラックマトリクスＢＭを前面側から見た状態を示している。
【００４５】
図１５及び図１６に示すように、赤色光透過部Ｃｒ、緑色光透過部Ｃｇ、青色光透過部Ｃｂ、青色光透過部Ｃｂ、緑色光透過部Ｃｇ、及び赤色光透過部Ｃｒが行方向にこの順に繰り返し配列され、同一色の光透過部Ｃが列方向に配列され、行方向及び列方向に隣り合う光透過部Ｃの間の領域にブラックマトリクスＢＭが形成されている。光透過部Ｃに対応して、赤色画素Ｐｒ、緑色画素Ｐｇ、青色画素Ｐｂ、青色画素Ｐｂ、緑色画素Ｐｇ、及び赤色画素Ｐｒが行方向にこの順に繰り返し配列され、同一色の画素Ｐが列方向に配列されている。
【００４６】
赤色画素Ｐｒ（赤色光透過部Ｃｒ）同士の境界に配置されるブラックマトリクスＢＭｒｒの中心線は、ブラックマトリクスＢＭｒｒに平面視で重なるデータ線ＤＬの中心線ｍ１と一致している。赤色画素Ｐｒと緑色画素Ｐｇ（緑色光透過部Ｃｇ）との境界に配置されるブラックマトリクスＢＭｒｇの中心線ｒｇ１は、ブラックマトリクスＢＭｒｇに平面視で重なるデータ線ＤＬの中心線ｍ１よりも赤色画素Ｐｒ側にずれている。緑色画素Ｐｇと青色画素Ｐｂ（青色光透過部Ｃｂ）との境界に配置されるブラックマトリクスＢＭｇｂの中心線ｇｂ１は、ブラックマトリクスＢＭｇｂに平面視で重なるデータ線ＤＬの中心線ｍ１よりも青色画素Ｐｂ側にずれている。青色画素Ｐｂ同士の境界に配置されるブラックマトリクスＢＭｂｂの中心線は、ブラックマトリクスＢＭｂｂに平面視で重なるデータ線ＤＬの中心線ｍ１と一致している。また、ブラックマトリクスＢＭｒｒの行方向の幅Ｔｒｒと、ブラックマトリクスＢＭｂｂの行方向の幅Ｔｂｂとは、互いに等しく（Ｔｒｒ＝Ｔｂｂ）、ブラックマトリクスＢＭｒｇの行方向の幅Ｔｒｇと、ブラックマトリクスＢＭｇｂの行方向の幅Ｔｇｂとは、互いに等しい（Ｔｒｇ＝Ｔｇｂ）。また、ブラックマトリクスＢＭｒｒの行方向の幅Ｔｒｒ、及びブラックマトリクスＢＭｂｂの行方向の幅Ｔｂｂは、ブラックマトリクスＢＭｒｇの行方向の幅Ｔｒｇ、及びブラックマトリクスＢＭｇｂの行方向の幅Ｔｇｂよりも小さい（Ｔｒｒ＝Ｔｂｂ＜Ｔｒｇ＝Ｔｇｂ）。さらに、ブラックマトリクスＢＭｒｒの幅Ｔｒｒにおける、データ線ＤＬの中心線ｍ１から赤色画素Ｐｒ側の端部までの距離Ｔｒ２は、ブラックマトリクスＢＭｒｇの幅Ｔｒｇにおける、データ線ＤＬの中心線ｍ１から赤色画素Ｐｒ側の端部までの距離Ｔｒ１よりも小さい（Ｔｒ２＜Ｔｒ１）。ブラックマトリクスＢＭｂｂの幅Ｔｂｂにおける、データ線ＤＬの中心線ｍ１から青色画素Ｐｂ側の端部までの距離Ｔｂ２は、ブラックマトリクスＢＭｇｂの幅Ｔｇｂにおける、データ線ＤＬの中心線ｍ１から青色画素Ｐｂ側の端部までの距離Ｔｂ１よりも小さい（Ｔｂ２＜Ｔｂ１）。ブラックマトリクスＢＭｒｇの幅Ｔｒｇにおいて、データ線ＤＬの中心線ｍ１から緑色画素Ｐｇ側の端部までの距離Ｔｇ１は、中心線ｍ１から赤色画素Ｐｒ側の端部までの距離Ｔｒ１よりも小さい（Ｔｇ１＜Ｔｒ１）。ブラックマトリクスＢＭｇｂの幅Ｔｇｂにおいて、データ線ＤＬの中心線ｍ１から緑色画素Ｐｇ側の端部までの距離Ｔｇ１は、中心線ｍ１から青色画素Ｐｂ側の端部までの距離Ｔｂ１よりも小さい（Ｔｇ１＜Ｔｂ１）。
【００４７】
図１７（ａ）は、実施例１に係るブラックマトリクスＢＭの一部の構成を示す平面図であり、図１７（ｂ）は、実施例２に係るブラックマトリクスＢＭの一部の構成を示す平面図である。実施例２の構成によれば、赤色画素Ｐｒの開口幅Ｗｒ２は、実施例１に係る赤色画素Ｐｒの開口幅Ｗｒ１よりも、（Ｔｒ１−Ｔｒ２）だけ大きくなる。また、青色画素Ｐｂの開口幅Ｗｂ２は、実施例１に係る青色画素Ｐｂの開口幅Ｗｂ１よりも、（Ｔｂ１−Ｔｂ２）だけ大きくなる。
【００４８】
図１８は、実施例２における色度差Δｕ´ｖ´の測定結果を示すグラフである。ここでは、ブラックマトリクスＢＭの幅を以下のように設定した。また、ＴＦＴ基板ＳＵＢ１及びＣＦ基板ＳＵＢ２の位置ずれ量を３μｍに設定した。なお、赤色画素Ｐｒの色度差Δｕ´ｖ´と、青色画素Ｐｂの色度差Δｕ´ｖ´とは略同じ値であったため、図１８のグラフでは、代表して、赤色画素Ｐｒの色度差Δｕ´ｖ´を表している。
・Ｔｒｒ＝Ｔｂｂ＝３μｍ
・Ｔｒｇ＝Ｔｇｂ＝６．５μｍ
・Ｔｒ２＝Ｔｇ１＝Ｔｂ２＝１．５μｍ
・Ｔｒ１＝Ｔｂ１＝５μｍ
【００４９】
実施形態１の測定結果を示す図８のグラフと、図１８のグラフを比較すると、緑色画素Ｐｇの色度差Δｕ´ｖ´は、実施例２と実施形態１とで変わらないのに対して、赤色画素Ｐｒ及び青色画素Ｐｂの色度差Δｕ´ｖ´は、実施例２の方が実施形態１よりも低くなっている。すなわち、実施例２に係る液晶表示装置ＬＣＤ２は、実施形態１に係る液晶表示装置ＬＣＤ１と比較して、より混色の発生を抑えることができる。
【００５０】
また、実施形態２の実施例１における測定結果を示す図１２のグラフと、図１８のグラフを比較すると、赤色画素Ｐｒ、緑色画素Ｐｇ及び青色画素Ｐｂの各色度差Δｕ´ｖ´は同じである。すなわち、実施例２に係る液晶表示装置ＬＣＤ２は、同一色の画素間に配置されるブラックマトリクスＢＭの幅を小さくすることにより当該画素の開口幅を大きくしても、実施例１に係る液晶表示装置ＬＣＤ２と比較して、混色に起因して表示品位が低下することはない。よって、混色の発生を抑えつつ、画素の開口率をさらに向上させることができる。
【００５１】
ここで、実施例２に係る液晶表示装置ＬＣＤ２の画素配列は、図９に示す画素配列に限定されず、図１３又は図１４に示す画素配列であってもよい。但し、画素の開口率を最大限に高めるためには、図９に示す画素配列とすることが好ましい。すなわち、赤色画素Ｐｒ、緑色画素Ｐｇ、青色画素Ｐｂ、青色画素Ｐｂ、緑色画素Ｐｇ、及び赤色画素Ｐｒが行方向にこの順に繰り返し配列され、赤色画素Ｐｒ及び青色画素Ｐｂの画素の開口幅を大きくすることが好ましい。換言すると、画素配列において、緑色画素Ｐｇは、互いに隣り合わず、赤色画素Ｐｒ及び青色画素Ｐｂに挟まれるように配列されていることが好ましい。この画素配列（図９参照）が好ましい理由について、以下に説明する。
【００５２】
同一色の画素が隣り合う画素配列は、上述のように、実施例１における、図９、図１３、及び図１４の３パターンが考えられる。図１３及び図１４の構成では、ともに緑色画素Ｐｇが互いに隣り合って配列されている。この場合、赤色画素Ｐｒと青色画素Ｐｂとが互いに隣り合う部分が存在することになる。上述したように、緑色画素Ｐｇは、人間の目にとって緑色における混色に対する耐性が高いため、緑色画素Ｐｇに近接するブラックマトリクスＢＭの幅を小さくして開口幅を大きくすることができるが、赤色画素Ｐｒ及び青色画素Ｐｂは、両画素間に配置されるブラックマトリクスＢＭｒｂの幅Ｔｒｂを小さくして開口幅を大きくすると、互いに表示品位を低下させる混色が生じてしまう。そのため、赤色画素Ｐｒ及び青色画素Ｐｂ同士の間に配置されるブラックマトリクスＢＭｒｂの幅Ｔｒｂは小さくすることが困難である。そのため、画素の開口率を最大限に高めるためには、赤色画素Ｐｒと青色画素Ｐｂとが互いに隣り合わない画素配列とすることが有効となる。この点について、以下の具体例を挙げて検証する。
【００５３】
図１９は、図１３の構成におけるブラックマトリクスＢＭの一部（１画素グループに対応）の構成を示す平面図である。図２０は、実施例２におけるブラックマトリクスＢＭの一部（１画素グループに対応）の構成を示す平面図である。
【００５４】
図１９において、例えば、ブラックマトリクスＢＭの幅を、実施例２（図１５参照）と同様に、同一色の画素間に配置されるブラックマトリクスＢＭの幅を３μｍ、緑色画素Ｐｇ及び他色画素（Ｐｒ，Ｐｂ）間に配置されるブラックマトリクスＢＭの幅を６．５μｍとし、赤色画素Ｐｒ及び青色画素Ｐｂ間に配置されるブラックマトリクスＢＭの幅を、実施形態１（図６参照）と同様に１０μｍに設定する。すなわち、図１９に示すブラックマトリクスＢＭの各幅を、以下のように設定する。
・Ｔｒｂ＝１０μｍ
・Ｔｂｇ＝６．５μｍ
・Ｔｒｒ＝Ｔｇｇ＝３μｍ
・Ｔｒ１＝Ｔｂ１＝５μｍ
・Ｔｒ２＝Ｔｇ１＝１．５μｍ
【００５５】
上記条件によれば、図１９に示す構成（図１３の画素配列）では、１画素グループ全体の画素の開口幅Ｗｘ１は、以下の式で表される。Ｐ１は、データ線ＤＬの配列間隔を表す。なお、図１４の画素配列においても、１画素グループ全体の画素の開口幅は、以下の式で表される。
Ｗｘ１＝Ｐ１×６−（Ｔｒ２×２＋Ｔｒ１×２＋Ｔｂ１×４＋Ｔｇ１×４）
＝Ｐ１×６−３９（μｍ）
【００５６】
これに対して、図２０に示す実施例２の画素配列では、１画素グループ全体の画素の開口幅Ｗｘ２は、以下の式で表される。
Ｗｘ２＝Ｐ１×６−（Ｔｒ２×２＋Ｔｒ１×２＋Ｔｂ１×２＋Ｔｇ１×４＋Ｔｂ２×２）
＝Ｐ１×６−３２（μｍ）
【００５７】
上記算出された開口幅Ｗｘ１，Ｗｘ２の比較結果（Ｗｘ１＜Ｗｘ２）より、実施例２の構成、すなわち、緑色画素Ｐｇが、互いに隣り合わず、赤色画素Ｐｒ及び青色画素Ｐｂに挟まれるように配列される構成の方が、画素の開口率が高くなることが分かる。よって、画素の開口率を最大限に高めるためには、実施例２の構成（画素配列）とすることが好ましい。
【００５８】
なお、図１３の構成であっても、図１９に示したように、隣り合う赤色画素Ｐｒ間に配置されるブラックマトリクスＢＭｒｒの幅Ｔｒｒと、隣り合う緑色画素Ｐｇ間に配置されるブラックマトリクスＢＭｇｇの幅Ｔｇｇを、例えば３μｍとすることができるため、実施例１に係る液晶表示装置ＬＣＤ１と比較して、開口率を向上させることができる。図１４の構成も同様である。
【００５９】
以上の説明では、光透過部Ｃには、赤色光透過部Ｃｒ、緑色光透過部Ｃｇ、青色光透過部Ｃｂが含まれている。しかし、本発明はこれに限定されるものではなく、赤緑青以外の色を透過する光透過部Ｃが含まれていてもよい。また、これに対応して、複数の画素Ｐには、赤緑青以外の色の画素Ｐが含まれていてもよい。
【００６０】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００６１】
ＬＣＤ  液晶表示装置、ＰＡ  表示パネル、ＳＵＢ１  ＴＦＴ基板、ＳＵＢ２  ＣＦ基板、ＳＥＭ  半導体層、ＳＭ  ドレイン電極、Ｃ  光透過部、Ｃｒ  赤色光透過部、Ｃｇ  緑色光透過部、Ｃｂ  青色光透過部、ＬＣ  液晶層、Ｐ  画素、Ｐｒ  赤色画素、Ｐｇ  緑色画素、Ｐｂ  青色画素、ＰＩＴ  画素電極、ＣＯＮＴ  コンタクトホール、ＧＬ  ゲート線、ＤＬ  データ線、ＴＦＴ  薄膜トランジスタ、ＢＭ  ブラックマトリクス、ＣＦ  着色部、ＣＦｒ  赤色部、ＣＦｇ  緑色部、ＣＦｂ  青色部。
【図１】
2015069119.tif 000003
【図２】
2015069119.tif 000004
【図３】
2015069119.tif 000005
【図４】
2015069119.tif 000006
【図５】
2015069119.tif 000007
【図６】
2015069119.tif 000008
【図７】
2015069119.tif 000009
【図８】
2015069119.tif 000010
【図９】
2015069119.tif 000011
【図１０】
2015069119.tif 000012
【図１１】
2015069119.tif 000013
【図１２】
2015069119.tif 000014
【図１３】
2015069119.tif 000015
【図１４】
2015069119.tif 000016
【図１５】
2015069119.tif 000017
【図１６】
2015069119.tif 000018
【図１７】
2015069119.tif 000019
【図１８】
2015069119.tif 000020
【図１９】
2015069119.tif 000021
【図２０】
2015069119.tif 000022